【手続補正書】
【提出日】令和3年3月10日(2021.3.10)
【手続補正１】
【補正対象書類名】特許請求の範囲
【補正対象項目名】全文
【補正方法】変更
【補正の内容】
【特許請求の範囲】
【請求項１】
テープ印刷装置が備える切断装置であって、
搬送されるテープ部材の主面に直交するように相対的に揺動する第１刃及び第２刃を含む鋏と、
前記第１刃又は第２刃とともに揺動し、前記鋏によって切断された前記テープ部材を前記第１刃又は第２刃が揺動する方向に押圧する押圧部材と、
前記鋏を閉じた状態で前記押圧部材との間で前記テープ部材を挟持する受け部材と、を備え、
前記押圧部材は、前記テープ部材の搬送方向に見て段差が設けられており、
前記受け部材は、前記段差に応じた形状の受け部が設けられている
ことを特徴とする切断装置。
【請求項２】
請求項１に記載の切断装置において、
前記押圧部材と前記受け部材は、前記鋏を閉じた状態で前記鋏によって切断された前記テープ部材を狭持し、前記鋏によって切断された前記テープ部材の端部のうちの切断面に近い方の端部に折り目をつける
ことを特徴とする切断装置。
【請求項３】
請求項２に記載の切断装置において、
前記押圧部材は、第１押圧部と第２押圧部を備え、
前記受け部材は、第１受け部と第２受け部を備え、
前記第１押圧部と前記第１受け部は、前記鋏を閉じた状態で、前記テープ部材の搬送路外で前記テープ部材を狭持し、
前記第２押圧部と前記第２受け部は、前記鋏を閉じた状態で、前記テープ部材の搬送路上で前記テープ部材を狭持する
ことを特徴とする切断装置。
【請求項４】
請求項３に記載の切断装置において、
前記押圧部材は、前記第２押圧部よりも前記第１刃又は前記第２刃の回転軸から離れた位置に、前記第１押圧部を備え、
前記受け部材は、前記第２受け部よりも前記回転軸から離れた位置に、前記第１受け部を備える
ことを特徴とする切断装置。
【請求項５】
請求項１乃至請求項４のいずれか１項に記載の切断装置において、
前記押圧部材は、前記第１刃又は前記第２刃の刃先に沿った線と交差する断面において、Ｌ字形状を有する
ことを特徴とする切断装置。
【請求項６】
切断装置を備えるテープ印刷装置であって、
前記切断装置は、
搬送されるテープ部材の主面に直交するように相対的に揺動する第１刃及び第２刃を含む鋏と、
前記第１刃又は第２刃とともに揺動し、前記鋏によって切断された前記テープ部材を前記第１刃又は第２刃が揺動する方向に押圧する押圧部材と、
前記鋏を閉じた状態で前記押圧部材との間で前記テープ部材を挟持する受け部材と、を備え、
前記押圧部材は、前記テープ部材の搬送方向に見て段差が設けられており、
前記受け部材は、前記段差に応じた形状の受け部が設けられている
ことを特徴とするテープ印刷装置。
【請求項７】
被切断部材の主面に直交するように相対的に揺動する第１刃及び第２刃を含む鋏と、
前記第１刃又は第２刃とともに揺動し、前記鋏によって切断された前記被切断部材を前記第１刃又は第２刃の揺動方向に押圧する押圧部材と、
前記鋏を閉じた状態で前記押圧部材との間で前記被切断部材を挟持する受け部材と、を備え、
前記押圧部材は、前記第１刃又は第２刃が揺動する面に交差する方向に見て段差が設けられており、
前記受け部材は、前記段差に応じた形状の受け部が設けられている
ことを特徴とする切断装置。
【請求項８】
被切断部材の主面に直交するように相対的に揺動する第１刃及び第２刃を含む鋏を用いた切断方法であって、
前記鋏は、
前記第１刃又は第２刃とともに揺動し、前記鋏によって切断された前記被切断部材を前記第１刃又は第２刃が揺動する方向に押圧する押圧部材と、
前記鋏を閉じた状態で前記押圧部材との間で前記被切断部材を挟持する受け部材と、を備え、
前記押圧部材は、前記第１刃又は第２刃が揺動する面に交差する方向に見て、揺動の回転軸に近い第１部分と揺動の回転軸から遠い第２部分との間に段差が設けられており、
前記受け部材は、前記段差に応じた形状の受け部が設けられており、
前記鋏が前記第１刃と前記第２刃との間に介在している前記被切断部材のうち揺動の回転軸に近い第１部分を切断しているときに、前記押圧部材の前記第２部分により前記被切断部材のうち揺動の回転軸から遠い第２部分の押圧を開始し、
前記鋏により前記被切断部材の全幅が切断すると、前記押圧部材側の切断された前記被切断部材の端部を、前記押圧部材と前記受け部材との間で押し付けて挟持することで、前記被切断部材の端部に折り目をつけることを特徴とする切断方法。
【手続補正２】
【補正対象書類名】明細書
【補正対象項目名】発明の名称
【補正方法】変更
【補正の内容】
【発明の名称】切断装置、テープ印刷装置、及び、切断方法
【手続補正３】
【補正対象書類名】明細書
【補正対象項目名】０００１
【補正方法】変更
【補正の内容】
【０００１】
本明細書の開示は、切断装置、テープ印刷装置、及び、切断方法に関する。
【手続補正４】
【補正対象書類名】明細書
【補正対象項目名】０００７
【補正方法】変更
【補正の内容】
【０００７】
本発明の一態様に係る切断装置は、テープ印刷装置が備える切断装置である。前記切断装置は、搬送されるテープ部材の主面に直交するように相対的に揺動する第１刃及び第２刃を含む鋏と、前記第１刃又は第２刃とともに揺動し、前記鋏によって切断された前記テープ部材を前記第１刃又は第２刃が揺動する方向に押圧する押圧部材と、前記鋏を閉じた状態で前記押圧部材との間で前記テープ部材を挟持する受け部材と、を備え、前記押圧部材は、前記テープ部材の搬送方向に見て段差が設けられており、前記受け部材は、前記段差に応じた形状の受け部が設けられている。
【手続補正５】
【補正対象書類名】明細書
【補正対象項目名】０００８
【補正方法】変更
【補正の内容】
【０００８】
本発明の一態様に係るテープ印刷装置は、切断装置を備える。前記切断装置は、搬送されるテープ部材の主面に直交するように相対的に揺動する第１刃及び第２刃を含む鋏と、前記第１刃又は第２刃とともに揺動し、前記鋏によって切断された前記テープ部材を前記第１刃又は第２刃が揺動する方向に押圧する押圧部材と、前記鋏を閉じた状態で前記押圧部材との間で前記テープ部材を挟持する受け部材と、を備え、前記押圧部材は、前記テープ部材の搬送方向に見て段差が設けられており、前記受け部材は、前記段差に応じた形状の受け部が設けられている。
【手続補正６】
【補正対象書類名】明細書
【補正対象項目名】０００９
【補正方法】変更
【補正の内容】
【０００９】
本発明の別の態様に係る切断装置は、被切断部材の主面に直交するように相対的に揺動する第１刃及び第２刃を含む鋏と、前記第１刃又は第２刃とともに揺動し、前記鋏によって切断された前記被切断部材を前記第１刃又は第２刃の揺動方向に押圧する押圧部材と、前記鋏を閉じた状態で前記押圧部材との間で前記被切断部材を挟持する受け部材と、を備え、前記押圧部材は、前記第１刃又は第２刃が揺動する面に交差する方向に見て段差が設けられており、前記受け部材は、前記段差に応じた形状の受け部が設けられている。
また、本発明の一態様に係る切断方法は、被切断部材の主面に直交するように相対的に揺動する第１刃及び第２刃を含む鋏を用いた切断方法であって、前記鋏は、前記第１刃又は第２刃とともに揺動し、前記鋏によって切断された前記被切断部材を前記第１刃又は第２刃が揺動する方向に押圧する押圧部材と、前記鋏を閉じた状態で前記押圧部材との間で前記被切断部材を挟持する受け部材と、を備え、前記押圧部材は、前記第１刃又は第２刃が揺動する面に交差する方向に見て、揺動の回転軸に近い第１部分と揺動の回転軸から遠い第２部分との間に段差が設けられており、前記受け部材は、前記段差に応じた形状の受け部が設けられており、前記鋏が前記第１刃と前記第２刃との間に介在している前記被切断部材のうち揺動の回転軸に近い第１部分を切断しているときに、前記押圧部材の前記第２部分により前記被切断部材のうち揺動の回転軸から遠い第２部分の押圧を開始し、前記鋏により前記被切断部材の全幅が切断すると、前記押圧部材側の切断された前記被切断部材の端部を、前記押圧部材と前記受け部材との間で押し付けて挟持することで、前記被切断部材の端部に折り目をつける。